(57)【特許請求の範囲】
【請求項１】
扱室（１）からの扱卸物を選別する揺動選別体（２）終端がわの２番物回収樋（３）上方箇所に、フィン（５）から上方に突設して揺動選別体（２）上を終端部に向けて送られる選別物に対して滞留作用を与える阻止体（４）を幅方向に列設し、該揺動選別体（２）の全体に前後方向の直線揺動を行わせる構成にしたことを特徴とする脱穀機の揺動選別体。
【請求項２】
前記揺動選別体（２）の枠体（２ａ）の終端部裏面がわと直線運動に変換させた起動軸（２２）の両側部とを支持体（３０）（３０）により連結して一体的に構成したことを特徴とする請求項1.記載の脱穀機の揺動選別体。
【発明の詳細な説明】
【０００１】
【発明の属する技術分野】
本発明は、扱室からの扱卸物や処理室から落下する処理物等を選別する脱穀機の揺動選別体に関するものである。
【０００２】
【従来の技術】
従来の揺動選別体は、前方の始端がわから後方の終端がわにかけてフィードパンとチャフシーブを設け、チャフシーブの始端がわ下方にグレンシーブを張設して構成したもの、または、フィードパンに続くチャフシーブの終端がわをストローラックにしたもの等があり、これに前後方向の揺動運動を与えて扱室や処理室から供給されるものを始端がわから終端がわに向けて送る間に選別するようにしている。
【０００３】
【発明が解決しようとする課題】
しかし、上記従来の揺動選別体により終端がわへの送り速度を早くして選別能率を向上させようとすると、穀粒が藁屑に混じって終端部から機外に排出して３番ロスを生じ、この３番ロスをなくしようとして送り速度を遅くすると選別能率が上がらず高性能の脱穀機を具現することができないという問題点を有している。
【０００４】
【課題を解決するための手段】
本発明は、扱室からの扱卸物を選別する揺動選別体終端がわの２番物回収樋上方箇所に、フィンから上方に突設して揺動選別体上を終端部に向けて送られる選別物に対して滞留作用を与える阻止体を幅方向に列設し、該揺動選別体の全体に前後方向の直線揺動を行わせる構成にしたことによって、揺動選別体上を終端部に向けて送られてきた選別物は阻止体により一時的に滞留させられ揺動運動による選別作用をながく受けるようになり、終端がわに至った藁屑中の穀粒は分離して２番物回収樋に落下して回収され、３番口から機外に排出されずロスが生じないのである。しかもそのとき、揺動選別体は始端がわと終端がわが共に直線揺動して全体が前後方向に直線揺動するから、送り作用を促進し選別能率を上げながら阻止体による滞留作用と相俟って選別性能を向上させるのである。
【０００５】
【発明の実施の形態】
【実施例】
以下、本発明による脱穀機の揺動選別体を実施例図に基づいて説明すると、この脱穀機（Ａ）は図６に示すようにコンバインを組成するもので、クローラ式走行装置（７）を備えた走行機台（８）上の左側に載設され、右側には操縦部（９）と穀粒タンク（１０）を配設するとともに、脱穀機（Ａ）と操縦部（９）の前方がわにわたって刈取部（Ｂ）が設けられ、脱穀機（Ａ）の後側に排藁処理部（Ｃ）が取着されてコンバインを組成している。
【０００６】
脱穀機（Ａ）は、扱室（１）と、扱室（１）の終端部から送出されるものを処理する処理室（１１）と、扱室（１）からの扱卸物と処理室（１１）から落下する処理物を選別する揺動選別体（２）および揺動選別体（２）の下側から吹き上げる選別風路（１２）等から成り、その揺動選別体（２）は図１にも示すように、前方の始端がわにフィードパン（１３）を、フィードパン（１３）から終端部の間にチャフシーブ（１４）をそれぞれ設けるとともに、チャフシーブ（１４）の始端がわから中途部にかけての下方にグレンパン（１５）とグレンシーブ（１６）を備えている。
【０００７】
また、選別風路（１２）底部のグレンパン（１５）とグレンシーブ（１６）の下方に１番物受樋（１７）が、チャフシーブ（１４）の終端がわ下方には２番物回収樋（３）がそれぞれ配設されて、１番物受樋（１７）に落入したものは１番揚穀筒（１８）により穀粒タンク（１０）に貯留されたのち、排出オーガ（１９）により適宜取出され、２番物回収樋（３）に落入したものはフィードパン（１３）上に返されるようになっている。
【０００８】
そして、前記の揺動選別体（２）は終端がわを揺動駆動がわにして直線揺動を与える揺動手段（６）が設けられて前後方向に揺動させている。そこで、この直線揺動を与える揺動手段（６）について図２と図５および図１により記載しておくと、（２０）は揺動選別体（２）の終端部下方位置において左右横方向に横架した偏心軸で一端に入力プーリ（２１）が軸着されている。
【０００９】
（２２）は前記偏心軸（２０）の前斜め下方位置にこの偏心軸（２０）と所定の間隔をおいて並架する起動軸であって、該軸（２２）の両端は機壁（２３）（２３）に固設したＵ字形凹溝を有するガイド部材（２４）（２４）にボールベアリング（２５）を介して摺動自在に嵌合させ偏心軸（２２）と並架状態で矢印（ロ）方向に移動可能にしてある。
【００１０】
（２６）（２６）は偏心軸（２０）の偏心部（２０ａ）と起動軸（２２）の各両側部とをそれぞれ連動連結する連動部材で、この連動部材（２６）は２つ割りにし偏心部（２０ａ）と起動軸（２２）との間にそれぞれボールベアリング（２７）（２８）を介在させ数本の締合ボルト（２９）によって締結して、偏心軸（２０）の回転によって偏心部（２０ａ）が円運動すると、この円運動から起動軸（２２）を直線運動に変換させている。
【００１１】
そして、起動軸（２２）は前記のように偏心軸（２０）の偏心部（２０ａ）とこの起動軸（２２）の各両側部とをそれぞれ連動連結する各連動部材（２６）（２６）の外側部分と揺動選別体（２）の枠体（２ａ）の終端部裏面がわとを支持体（３０）（３０）によって連結して一体的に構成しているのであって、支持体（３０）はその下部がわを分割しその分割した下部がわを締結ボルト（３１）（３１）によって締合することによって前記偏心軸（２０）と偏心部（２０ａ）が貫通するところの余裕のある大径孔（３２）が形成されるとともに起動軸（２２）を挟扼するのである。なお、（３３）は起動軸（２２）の固定ボルトであり、（２４ａ）はガイド部材（２４）の取付座である。
【００１２】
また、揺動選別体（２）の始端がわはＵ字形溝（３４）にボールベアリングを有する支持軸（３５）を摺動自在に嵌合させて矢印（ハ）方向の直線運動を与え、これにより、揺動選別体（２）全体が前後方向に直線状に揺動するようになっている。
【００１３】
次に前記のチャフシーブ（１４）について図１、図３、図４により記載すると、グレンパン（１５）とグレンシーブ（１６）の上方部分を構成するチャフシーブ（１４）のフィン（５）は、そのフィン（５）を連動する各連動棒（３６）（３６ａ）が連結されて同時にフィン（５）の傾斜角度が変更調節可能であり、また、チャフシーブ（１４）の終端がわで２番物回収樋（３）の上方箇所に位置するフィン（５）は連動棒（３７）によって連動連結され操作レバー（３８）の操作によって傾斜角度が変更調節されるようになっている。尚、この２番物回収樋（３）の上方箇所のフィン（５）に後続する終端部のフィン（５）は固定である。
【００１４】
そして、前記の２番物回収樋（３）の上方箇所に位置するフィン（５）のうちの１枚のものには、送り方向（イ）に対して滞留作用を与える阻止体（４）が幅方向に間隔をおいて列設されているのである。
【００１５】
これによって、２番物回収樋（３）の上方に位置する阻止体（４）は、その背面（４ａ）の下部がわでは送り方向（イ）に送られてくる選別物に対し一時的な滞留作用を与えて直線揺動による選別作用をながく受けさせ、藁屑中の穀粒を分離して矢印（ニ）のように落下させ、軽量な藁屑は背面（４ａ）にそって浮上し矢印（ホ）の如く終端部に逃がして３番口から排出させるようになり、また、阻止体（４）はフィン（５）と一体的に構成されていてフィン（５）の傾斜角度調節時には矢印（ヘ）のように傾動するのである。
【００１６】
【発明の効果】
本発明は、以上説明したように実施されたもので、次に記載するような効果を奏する。
【００１７】
扱室からの扱卸物を選別する揺動選別体終端がわの２番物回収樋上方箇所に、フィンから上方に突設して揺動選別体上を終端部に向けて送られる選別物に対して滞留作用を与える阻止体を幅方向に列設し、該揺動選別体の全体に前後方向の直線揺動を行わせる構成にしたことによって、揺動選別体上を終端部に向けて送られてきた選別物は阻止体により一時的に滞留させられ揺動運動による選別作用をながく受けるようになり、終端がわに至った藁屑中の穀粒は分離して２番物回収樋に落下して回収され、３番口から機外に排出されずロスが生じないのである。しかもそのとき、揺動選別体は始端がわと終端がわが共に直線揺動して全体が前後方向に直線揺動するから、送り作用を促進し選別能率を上げながら阻止体による滞留作用と相俟って選別性能を向上させることができる。
【図面の簡単な説明】
【図1】  揺動選別体全体の側面図である。
【図２】  同揺動選別体の後方視図である。
【図３】  阻止体部分を示す拡大側面図である。
【図４】  同阻止体部分の前方視図である。
【図５】  揺動手段の拡大側面図である。
【図６】  コンバイン全体の側面図である。
【符号の説明】
１      扱室
２      揺動選別体
３      ２番物回収樋
４      阻止体
５      フィン
２ａ    枠体
２２    起動軸
３０    支持体
【図１】
0003655412.tif 000002
【図２】
0003655412.tif 000003
【図３】
0003655412.tif 000004
【図４】
0003655412.tif 000005
【図５】
0003655412.tif 000006
【図６】
0003655412.tif 000007